(57)【特許請求の範囲】
【請求項１】
記憶媒体のディスク２が回転自在に収容される本体ケース１に、信号読書用の窓３と駆動軸挿入孔４とが設けられており、
前記窓３および駆動軸挿入孔４が、本体ケース１の前側で左右にスライドするシャッター５で開閉自在に塞がれる構造のディスクカートリッジにおいて、
本体ケース１の後側面７に、ディスク出し入れ用の開口部９が左右方向にわたって設けられており、
本体ケース１に、開口部９を開閉する蓋１０が抜き差し自在に装着されており、
蓋１０が、開口部９を開閉する蓋本体１１と、この蓋本体１１の内側から本体ケース１の左右側壁１５・１５の内面に沿うよう突設されて、ディスク２の中心より本体ケース内奥側の外周上の二点Ｐ1 ・Ｐ2 を抱合する左右一対の拡縮変形自在な弾性アーム１２・１２とを有しており、
本体ケース１内に、弾性アーム１２・１２を拡開変形させる解除部材１６・１６が設けられており、
この解除部材１６・１６は、蓋１０の差し込みに伴い弾性アーム１２・１２の先端と接当係合し、この接当係合作用により弾性アーム１２・１２がディスク外周から離れる方向へ拡開変形することを特徴とするディスクカートリッジ。
【請求項２】
弾性アーム１２のディスク抱合面側の少なくとも先端に溝１３を凹設してあり、
この溝１３は溝外方へ向かって漸次拡がる傾きをもつ上下の斜面１４・１４を有し、
この上下の斜面１４・１４間でディスク２の外周を抱合する断面台形もしくは断面Ｖ形に形成されている請求項１記載のディスクカートリッジ。
【請求項３】
蓋本体１１の内側における弾性アーム１２・１２間の中央部位に、ディスク２の外周一部を支持する溝２１を設けている請求項２記載のディスクカートリッジ。
【請求項４】
弾性アーム１２・１２どうしをつないだ凹円弧状の面２２がディスク２の収納時に該ディスク２の位置決めを兼ねる請求項１又は２記載のディスクカートリッジ。
【請求項５】
記憶媒体のディスク２が回転自在に収容される本体ケース１に、信号読書用の窓３と駆動軸挿入孔４とが設けられており、
前記窓３および駆動軸挿入孔４が、本体ケース１の前側で左右にスライドするシャッター５で開閉自在に塞がれる構造のディスクカートリッジにおいて、
本体ケース１の後側面７に、ディスク出し入れ用の開口部９が左右方向にわたって設けられており、
本体ケース１に、開口部９を開閉する蓋１０が抜き差し自在に装着されており、
蓋１０が、開口部９を開閉する蓋本体１１と、この蓋本体１１の内側から本体ケース１の左右側壁１５・１５の内面に沿うよう突設されて、ディスク２の中心より本体ケース内奥側の外周上の二点Ｐ1 ・Ｐ2 を支持する左右一対の拡縮変形自在な弾性アーム１２・１２とを有しており、
弾性アーム１２・１２を本体ケース１の左右側壁１５・１５の内面に沿って挿入し蓋１０を本体ケース１の開口部９に完全に差し込んだとき、ディスク２が回転自在な状態にあるとともに、開口部９が蓋本体１１で全面的に閉じられるようにしたことを特徴とするディスクカートリッジ。
【発明の詳細な説明】
【０００１】
【発明の属する技術分野】
本発明は、光ディスクや光磁気ディスク等の記憶媒体であるディスクがハードケースに出し入れ可能に収容されているディスクカートリッジに関する。
【０００２】
【従来の技術】
この種のディスクカートリッジは、例えば特開平５−２４２６２６号公報に公知であり、本体ケースの後側端部にディスクを交換目的で出し入れ可能にするための開口部を有し、この開口部が枢軸まわりに回動する蓋で開閉できるものとしてある。
【０００３】
【発明が解決しようとする課題】
しかるに、上記ディスクカートリッジではディスクを取り出す際、蓋を最大開き角（１８０度）に開いた状態で、不用意に開口部を下向きにすると、ディスクが開口部から下方へ落下して破損するおそれがある。また、ディスクを取り出すとき不注意で手がディスクの記録・再生エリアに触れるおそれがあった。
【０００４】
そこで本発明の目的は、ディスクを安全にかつ手に触れることなく出し入れできるディスクカートリッジを提供するにある。
【０００５】
【課題を解決するための手段】
本発明は、記憶媒体のディスク２が回転自在に収容される本体ケース１の一側面７に、ディスク出し入れ用の開口部９を設けてあり、本体ケース１に、開口部９を開閉する蓋１０が抜き差し自在に装着されているディスクカートリッジにおいて、本体ケース１および蓋１０を次のように構成したことを特徴とする。
【０００６】
蓋１０は、開口部９を開閉する蓋本体１１と、この蓋本体１１の内側から本体ケース１の前記一側面７に隣接する両側壁１５・１５の内面に沿うよう突設されて、ディスク２の中心より本体ケース内奥側の外周上の二点Ｐ１  ・Ｐ２  を抱合する一対の拡縮変形自在な弾性アーム１２・１２とを有する。一方、本体ケース１内に弾性アーム１２・１２を拡開変形させる解除部材１６・１６が設けられている。この解除部材１６は蓋１０の差し込みに伴い弾性アーム１２の先端と接当係合し、この接当係合作用により弾性アーム１２・１２がディスク外周から離れる方向へ拡開変形させられる。
【０００７】
弾性アーム１２のディスク抱合面側の少なくとも先端には溝１３を凹設し、この溝１３は溝外方へ向かって漸次拡がる傾きをもつ上下の斜面１４・１４を有し、この上下の斜面１４・１４間でディスク２の外周を抱合する断面台形もしくは断面Ｖ形に形成する。
また、蓋本体１１の内側における弾性アーム１２・１２間の中央部位に溝２１を設け、この溝２１と前記二つの溝１３とでディスク２の外周三点をはさむことができるようにする。弾性アーム１２・１２どうしは凹円弧状の面２２でつなぎ、この面２２はディスク２の収納時に該ディスク２の位置決めを兼ねるものとする。
【０００８】
【作用】
蓋１０を開口部９から抜き出すと、一対の弾性アーム１２・１２が解除部材１６・１６から離れてその弾性復元作用により縮小変形する、この縮小変形でディスク２の中心より本体ケース内奥側の外周上の二点Ｐ１  ・Ｐ２  を抱合保持する。したがって、蓋１０の抜き出しに伴いディスク２は一対の弾性アーム１２・１２間で抱合保持された状態で取り出される。本体ケース１内にディスク２を収容するには、ディスク２を蓋１０の一対の弾性アーム１２・１２間で抱合保持し、開口部９に蓋１０を弾性アーム１２・１２から差し込む。蓋１０を完全に差し込むと、解除部材１６・１６により一対の弾性アーム１２・１２が拡開変形するため、ディスク２は回転自由な状態となる。
【０００９】
弾性アーム１２の少なくとも先端のディスク抱合面側に溝１３を凹設してあると、蓋１０の抜き出しに伴いディスク２を一対の弾性アーム１２・１２間で抱合するとき、溝１３の下側の斜面１４でディスク２を本体ケース１の内底面から持ち上げながら抱合する。したがって、本体ケース１の内底面の中央にボス６が突設されている場合も、ディスク２をそのボス６に干渉させることなく取り出すことができる。
弾性アーム１２の先端の溝１３と溝２１とでディスク２の外周三点をはさむことで、ディスク２を確実に保持できる。
【００１０】
【発明の実施の形態】
本発明に係るディスクカートリッジは、図１に示すように、薄型四角形状の本体ケース１の内部に、上下両面に映像・音声・情報等の信号が記憶される光ディスク等のディスク２が回転自在に収容される。図３に示すように、本体ケース１はプラスチック製の上ケース１ａと下ケース１ｂとを突き合わせて一体的に結合してなる。上ケース１ａおよび下ケース１ｂには、前側部の左右方向中央部から後方に向けて信号読書用の窓３を開口し、上ケース１ａの上面のほぼ中央および下ケース１ｂの下面のほぼ中央には駆動軸挿入孔４を開口してあり、不使用時これら窓３および駆動軸挿入孔４が本体ケース１の前側で左右にスライド開閉するシャッター５で塞がれる。図４に示すごとく上ケース１ａおよび下ケース１ｂの各内面には、ボス６が駆動軸挿入孔４を囲むように突設されている。
【００１１】
図１および図３において、本体ケース１の後側面７にはディスク２を出し入れするための開口部９がその左右方向全長にわたって設けてある。この開口部９はプラスチック製の蓋１０で開閉される。蓋１０は開口部９を閉じる形の蓋本体１１と、この蓋本体１１の内側から本体ケース１の左右の側壁１５・１５の内面に沿うように突設された一対の拡縮変形自在な弾性アーム１２・１２とを有する。
【００１２】
一対の弾性アーム１２・１２はこれの縮小変形に伴い、図２に示すごとくディスク２の中心より本体ケース内奥側の外周上の二点Ｐ１  ・Ｐ２  を抱合保持する。図５に示すように、弾性アーム１２のディスク抱合面側の先端または全長にわたって溝１３を凹設してあり、この溝１３は断面台形に形成されて溝外方へ向かって漸次拡がる傾きをもつ上下の斜面１４・１４を有し、この上下の斜面１４・１４間でディスク２の外周を抱合する。溝１３は断面台形に代えて、断面Ｖ形状に形成することもできる。
【００１３】
図２において本体ケース１の内部には、左右の側壁１５・１５の各内面の前端寄り部位に、蓋１０の弾性アーム１２・１２を拡開させるための解除部材１６を設ける。この解除部材１６は開口部９と向き合う面に斜面１７が形成されていて、側壁１５の内面と該斜面１７との間に鋭角の凹み１９が形成されている。弾性アーム１２の先端には、前記解除部材１６の斜面１７に接当係合する斜面２０を設ける。
【００１４】
かくして、蓋１０を本体ケース１の開口部９に差し込むに伴い、弾性アーム１２・１２を左右側壁１５・１５の各内面に沿って挿入すると、弾性アーム１２・１２の先端が解除部材１６・１６の斜面１７・１７に当接する（図２中の二点鎖線状態）。更に弾性アーム１２・１２を本体ケース１の内奥へ深く挿入するに伴い、弾性アーム１２・１２の先端が解除部材１６・１６の斜面１７・１７上を滑りながらディスク２の外周上の二点Ｐ１  ・Ｐ２  から離れる方向へ拡開変形する。図１に示すごとく蓋１０を完全に差し込み終えると同時に、弾性アーム１２・１２の先端の斜面２０・２０が解除部材１６・１６の斜面１７・１７に面接触して凹み１９・１９に係合し、これにて弾性アーム１２・１２の先端の拡開状態が保持される。これでディスク２が回転自由な状態になる。弾性アーム１２・１２どうしは凹円弧状の面２２でつなぎ、この面２２によりディスク２は本体ケース１内の中央部に位置決めされるとともに、ディスク２が開口部９の方向へ移動するのを規制できる。
【００１５】
ディスク２を交換のために取り出すときは蓋１０を抜き出す。蓋１０の抜き出しに伴い、一対の弾性アーム１２・１２は解除部材１６・１６から離されてその弾性復元力で縮小変形し、この縮小変形によりディスク２の中心より本体ケース内奥側の外周上二点Ｐ１  ・Ｐ２  を抱合保持する。したがって、蓋１０の抜き出しに伴いディスク２は一対の弾性アーム１２・１２間で抱合保持された状態で取り出される。その際、図５に示すごとくディスク２を一対の弾性アーム１２・１２間で抱合するとき、溝１３の下側の斜面１４でディスク２が本体ケース１の内底面から持ち上げられるため、ディスク２は本体ケース１の内底面のボス６に干渉することなく取り出される。蓋１０を本体ケース１から完全に抜き出した後は、一対の弾性アーム１２・１２を手で拡開変形させることでディスク２を蓋１０から離脱させることができる。図６に示すごとく蓋本体１１の内側における弾性アーム１２・１２間の中央部位に溝２１を設け、この溝２１と前記二つの溝１３とでディスク２の外周三点をはさむことにより、ディスク２をより確実に保持できて安全に出し入れできる。
【００１６】
ディスク２を本体ケース１内に収容するには、図３に示すごとくディスク２を蓋１０の一対の弾性アーム１２・１２間で抱合保持し、開口部９に蓋１０を弾性アーム１２・１２側から差し込む。蓋１０を完全に差し込むと、図１に示すごとく解除部材１６・１６により一対の弾性アーム１２・１２が拡開変形してディスク２が回転自由な状態になる。
【００１７】
上記開口部９は本体ケース１の後側面７以外に、左右の側壁１５・１５のいずれか一方に設けることもできる。解除部材１６は図示例の板形状に代えて、ピン形状に変更することもできる。また図７に示すように、弾性アーム１２・１２の各先端の上下面にピン２３を突設する一方、本体ケース１の内部の上下面に、前記ピン２３を案内する溝２４を設けて、その溝２４の内奥部に設けた円弧溝部２４ａで弾性アーム１２が拡開変形するようにしてもよい。
【００１８】
【発明の効果】
本発明によれば、蓋１０の弾性アーム１２・１２間でディスク２の中心より本体ケース内奥側の外周上二点Ｐ１  ・Ｐ２  を抱合保持するので、蓋１０を持って抜き差しすることで、ディスク２はこれに手を触れることなく、また落下させることなく安全に出し入れできる。
【００１９】
本体ケース１内で弾性アーム１２・１２によるディスク２の抱合状態を解除するには、蓋１０の差し込みに伴い弾性アーム１２・１２の先端を解除部材１６・１６に接当係合させればよく、また蓋１０の抜き出しに伴い弾性アーム１２・１２の先端を解除部材１６・１６から離すことでディスク２を抱合し直すことができ、これらディスク２の抱合、解除操作は蓋１０の抜き差しに伴い自動的に行えて取扱性に優れる。
【００２０】
弾性アーム１２・１２のディスク抱合面側の少なくとも先端側に溝１３を凹設し、蓋１０を引き出すに伴い溝１３の下側の斜面１４で本体ケース１の内底面からディスク２を持ち上げられるようにしてあるので、本体ケース１の内底面の中央にボス６が突設されている場合でも、ディスク２をボス６に干渉させたり、きずを付けることなく円滑かつ安全に取り出すことができる。
【００２１】
蓋本体１１の内側における弾性アーム１２・１２間の中央部位に溝２１を設け、この溝２１と弾性アーム１２の先端の溝１３とでディスク２の外周三点をはさむことにより、ディスク２をより確実に保持できて安全に出し入れすることができる。
【図面の簡単な説明】
【図１】本発明に係るディスクカートリッジの内部平面図である。
【図２】ディスクの収容途上の状態を示す内部平面図である。
【図３】ディスクを取り出した状態の斜視図である。
【図４】図１におけるＡ−Ａ線拡大断面図である。
【図５】図２におけるＢ−Ｂ線拡大断面図である。
【図６】図３におけるＣ−Ｃ線拡大断面図である。
【図７】他の実施例を示す本体ケースと蓋の平面図である。
【符号の説明】
１  本体ケース
２  ディスク
９  開口部
１０  蓋
１１  蓋本体
１２  弾性アーム
１３  溝
１４  斜面
１６  解除部材
【図１】
0003632805.tif 000002
【図２】
0003632805.tif 000003
【図３】
0003632805.tif 000004
【図４】
0003632805.tif 000005
【図５】
0003632805.tif 000006
【図６】
0003632805.tif 000007
【図７】
0003632805.tif 000008